(57)【要約】【課題】  予定外の開封を防止しつつ、ジッパーを容易に開封でき、さらに、簡易にアクセスできる副次的な収納部を有するジッパー付き袋を提供する。【解決手段】  第１壁面シート部２１及び第２壁面シート部２２を有する袋本体２と、第１壁面シート部２１及び第２壁面シート部２２の内面に各々取り付けられた第１咬合部３１及び第２咬合部３２を有するジッパー３と、を備えるジッパー付き袋１であって、第１壁面シート部２１の外面の、第１咬合部３１よりも下方位置に、第１把持部５１が設けられ、第２壁面シート部２２の外面の、第２咬合部３２よりも下方位置に、第２把持部５２が設けられ、第１壁面シート部２１が、内側シート２１Ｙと外側シート２１Ｘを有する２重シート構造部を有し、内側シート２１Ｙと外側シート２１Ｘの間に、副収納部７１が形成されていると共に、外側シート２１Ｘに副収納部７１に通じる出入れ口が形成されている。【選択図】  図３
2020001717.tif 000002
【特許請求の範囲】
【請求項１】
対向配置された第１壁面シート部及び第２壁面シート部を有し、内部に主収納部が形成された袋本体と、
互いに咬合可能な第１咬合部及び第２咬合部を有し、前記袋本体の開口部を閉塞するジッパーと、を備え、
前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、
前記第１壁面シート部の外面の、前記第１咬合部に対応する位置又は第１咬合部よりも下方位置に、第１把持部が設けられ、
前記第２壁面シート部の外面の、前記第２咬合部に対応する位置又は第２咬合部よりも下方位置に、第２把持部が設けられ、
前記第１壁面シート部に、外側からアクセス可能な副収納部が形成されている、ジッパー付き袋。
【請求項２】
前記第１壁面シート部が、内側シートと外側シートを有する２重シート構造部を有し、前記内側シートと外側シートの間に、前記副収納部が形成されていると共に、前記外側シートに前記副収納部に通じる出入れ口が形成されている、請求項１に記載のジッパー付き袋。
【請求項３】
前記外側シートの面内に、前記出入れ口となる切断部が形成され、
前記第１把持部が、前記外側シートのうち前記切断部の上側領域によって構成され、
前記副収納部が、前記外側シートのうち前記切断部の下側領域と前記内側シートの間に形成されている、請求項２に記載のジッパー付き袋。
【請求項４】
前記切断部が、正面視で下側に膨らんだ部分を有する有端非直線状の切込み線を有する、請求項２または３に記載のジッパー付き袋。
【発明の詳細な説明】
【技術分野】
【０００１】
本発明は、ジッパーによって袋本体が閉塞されるジッパー付き袋に関する。
【背景技術】
【０００２】
従来、開口部にジッパーが設けられているジッパー付き袋が知られている。
また、ジッパーを開封し難くした改竄防止機能を有するジッパー付き袋も知られている。
例えば、特許文献１には、開口を有し物品を収納する収納空間を区画する袋本体と、一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、前記帯状基部のいずれか一方が、少なくとも前記袋本体の開口側に対応する一縁側と前記袋本体の収納空間側に対応する他縁側が前記袋本体に取り付けられ、前記帯状基部のいずれか他方は、前記袋本体の開口側に対応する一縁側は前記袋本体に取り付けられず、前記袋本体の収納空間側に対応する他縁側が前記袋本体に取り付けられているジッパーテープ付袋体が開示されている。
【０００３】
かかるジッパーテープ付き袋体は、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このため、雄側鈎部および雌側鈎部が互いに噛み合う方向に開封力が作用し、咬合が外されて袋本体が開封されることを防止でき、確実に改竄を防止することができる。
【０００４】
特許文献１のジッパーテープ付き袋体は、上述のように、開封困難な改竄防止機能を有するので、悪戯や不正行為などの改竄による開封（悪意を持った行為に基づく開封）を未然に防止でき、さらに、不用意な開封（改竄意図はないが、誤って開けてしまうなど）も防止できる。以下、改竄による開封及び不用意な開封を総称して「予定外の開封」又は「予定外開封」という。
【先行技術文献】
【特許文献】
【０００５】
【特許文献１】特開２０１５−２１７９８０号公報
【発明の概要】
【０００６】
しかしながら、かかる袋体は、例えば、それを購入した者にとって開封困難である。つまり、上記ジッパーテープ付袋体は、予定外の開封でなく、普通に開封したいときに容易に開封できないので、その改善が求められる。以下、予定外開封でない開封を、便宜上、「正規開封」という場合がある。
また、前記ジッパーテープ付袋体は、ジッパーによって収納空間の開口を開閉するので、密封性が比較的必要とされる物品の収納に便利であるが、物品の中には、ジッパーによって閉塞するほどに密封性が求められないものもある。しかしながら、従来のジッパーテープ付袋体は、比較的密封性が必要とされない物品であっても、ジッパーで開閉される収納空間に収納しなければならず、その出し入れにはジッパーの開閉動作を伴うため、その点において簡易に物品にアクセスできない。
【発明が解決しようとする課題】
【０００７】
本発明の目的は、予定外の開封を防止しつつ、ジッパーを容易に開封でき、さらに、簡易にアクセスできる副次的な収納部を有するジッパー付き袋を提供することである。
【課題を解決するための手段】
【０００８】
本発明のジッパー付き袋は、対向配置された第１壁面シート部及び第２壁面シート部を有し、内部に主収納部が形成された袋本体と、互いに咬合可能な第１咬合部及び第２咬合部を有し、前記袋本体の開口部を閉塞するジッパーと、を備え、前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、前記第１壁面シート部の外面の、前記第１咬合部に対応する位置又は第１咬合部よりも下方位置に、第１把持部が設けられ、前記第２壁面シート部の外面の、前記第２咬合部に対応する位置又は第２咬合部よりも下方位置に、第２把持部が設けられ、前記第１壁面シート部に、外側からアクセス可能な副収納部が形成されている。
【０００９】
本発明の好ましいジッパー付き袋は、前記第１壁面シート部が、内側シートと外側シートを有する２重シート構造部を有し、前記内側シートと外側シートの間に、前記副収納部が形成されていると共に、前記外側シートに前記副収納部に通じる出入れ口が形成されている。
本発明の好ましいジッパー付き袋は、前記外側シートの面内に、前記出入れ口となる切断部が形成され、前記第１把持部が、前記外側シートのうち前記切断部の上側領域によって構成され、前記副収納部が、前記外側シートのうち前記切断部の下側領域と前記内側シートの間に形成されている。
本発明の好ましいジッパー付き袋は、前記切断部が、正面視で下側に膨らんだ部分を有する有端非直線状の切込み線を有する。
【発明の効果】
【００１０】
本発明のジッパー付き袋は、予定外の開封を防止できる。さらに、本発明のジッパー付き袋は、第１把持部及び第２把持部が設けられているので、それらを利用してジッパーを容易に開封できる。また、本発明のジッパー付き袋は、簡易にアクセスできる副収納部を有するので、例えば、密封性が要求される物品を主収納部に収納し、比較的密封性が要求されない物品を副収納部に収納するなどの使い分けを行うことができる。
【図面の簡単な説明】
【００１１】
【図１】第１実施形態のジッパー付き袋を第１壁面シート部側から見た正面図。
【図２】同ジッパー付き袋を第２壁面シート部側から見た正面図。
【図３】図１のＩＩＩ−ＩＩＩ線で切断した縦端面図（ジッパー付き袋の幅方向中央部において上下方向で切断した端面図）。端面図は、切断面のみを表した図をいう（以下、同じ）。
【図４】図１のＩＶ−ＩＶ線で切断した横端面図。
【図５】同ジッパー付き袋の第１壁面シート部側をその上方から見た斜視図。
【図６】（ａ）は、同ジッパー付き袋の第１把持部及び第２把持部を外側に引き出した状態を示す縦端面図、（ｂ）は、同ジッパー付き袋の出入れ口を開いて副収納部に物品を出し入れする状態を示す縦端面図。
【図７】同ジッパー付き袋を予定外開封した際の状況を示す縦端面図であって、その際のジッパー付き袋を上下方向で切断した縦端面図。
【図８】同ジッパー付き袋を正規開封する際の状況を示す斜視図。
【図９】ジッパー付き袋を正規開封し、第１咬合部と第２咬合部の咬合が解除されて開口し始めた際の状況を示す斜視図。
【図１０】図９のジッパー付き袋を上下方向で切断した縦端面図。
【図１１】第２実施形態のジッパー付き袋を第１壁面シート部側から見た正面図。
【図１２】図１１のＸＩＩ−ＸＩＩ線で切断した縦端面図。
【図１３】図１１のＸＩＩＩ−ＸＩＩＩ線で切断した横端面図。
【図１４】同ジッパー付き袋を正規開封する際の状況を示す縦端面図。
【図１５】同ジッパー付き袋を正規開封し、第１咬合部と第２咬合部の咬合が解除されて開口し始めた際の状況を示す縦端面図。
【図１６】第３実施形態のジッパー付き袋を第１壁面シート部側から見た正面図。
【図１７】図１６のＸＶＩＩ−ＸＶＩＩ線で切断した縦端面図。
【発明を実施するための形態】
【００１２】
以下、本発明の実施形態について図面を参照しながら説明する。
本明細書において、方向を示す用語として、「上」及び「下」を使用するが、「上」は、袋本体を基準にしてその開口部側を指し、「下」は、上とは反対側（袋本体の開口部とは反対側）を指す。例えば、図１では、袋本体の開口部を紙面の上側にして表している。「幅」又は「幅方向」は、図１の正面視において、上下方向と直交する方向である。また、用語の頭に、「第１」、「第２」を付す場合があるが、この第１などは、用語を区別するためだけに付加されたものであり、その順序や優劣などの特別な意味を持たない。
本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
各図に示される層、部分及び部材の寸法、縮尺及び形状は、実際のものとは異なっている場合があることに留意されたい。
【００１３】
［第１実施形態］
図１乃至図５において、ジッパー付き袋１は、第１壁面シート部２１及び第２壁面シート部２２を有し且つ内部に主収納部２８が形成された袋本体２と、前記袋本体２の開口部２９を閉塞するために袋本体２に取り付けられたジッパー３と、を有する。
本発明のジッパー付き袋１は、袋本体２の第１壁面シート部２１と第２壁面シート部２２に、それぞれ把持部５１，５２が設けられていると共に、少なくとも第１壁面シート部２１に、外側からアクセス可能な副収納部が形成されていることを特徴とする。
【００１４】
袋本体２は、内部に主収納部２８を有する袋状である。主収納部２８は、袋本体２内に形成された空間であり、袋本体２には、前記主収納部２８に通じる開口部２９が上方に形成されている。
袋本体２は、柔軟な第１壁面シート部２１及び第２壁面シート部２２を有し、第１壁面シート部２１と第２壁面シート部２２は、互いの内面同士を向かい合わせて配置されている。対向配置された第１壁面シート部２１と第２壁面シート部２２のシート間に、前記主収納部２８が形成されている。
【００１５】
第１壁面シート部２１及び第２壁面シート部２２などの袋本体２を形成するシート材は、従来公知のものを用いることができる。シート材は、透明又は不透明の何れでもよい。シート材は、収納する物品の種類、コストなどに応じて適宜選定でき、例えば、１層の樹脂層又は２層以上の樹脂層を有する合成樹脂シート、紙、合成紙、発泡樹脂シート、不織布、これらから選ばれる２種以上の積層体、これらとバリア層の積層体などが挙げられる。好ましくは合成樹脂シートが用いられる。前記樹脂シートには、耐衝撃性、耐磨耗性、及び耐熱性などの、袋としての基本的な性能を備えることが要求される。また、上述のように、袋本体２は、通常、シート材の熱溶着によって形成されるので、樹脂シートにはヒートシール性も要求される。樹脂シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。但し、ジッパー付き袋１の端面図である図３及び図４においては、便宜上、第１壁面シート部２１及び第２壁面シート部２２を１層構造で表している（以下、他のジッパー付き袋１の端面図についても同様）。
シート材は、容易に変形する柔軟性を有していればその厚みは特に限定されず、例えば、５０μｍ〜５００μｍである。
【００１６】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層又は二層以上の延伸又は未延伸フィルムが例示できる。
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。
ガスバリア層としては、アルミニウム等の金属薄膜、又は塩化ビニリデン（ＰＶＤＣ）、エチレン−ビニルアルコール共重合体（ＥＶＯＨ）等の樹脂シート、或いは任意の合成樹脂シート（例えば、ベースフィルム層であってもよい）に、アルミニウム、酸化アルミニウムやシリカ等の無機酸化物等を蒸着（又はスパッタリング）したフィルムが例示できる。
前記シート材には、商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。
【００１７】
ジッパー３は、袋本体２の開口部２９を閉塞するべく、袋本体２の内面側に設けられている。図示のように、開口部２９が幅方向に延びる袋本体２にあっては、ジッパー３は、袋本体２の開口部２９の近傍において幅方向に延在されている。
具体的には、ジッパー３は、互いに咬合可能な第１咬合部３１及び第２咬合部３２を有する。第１咬合部３１及び第２咬合部３２としては、雄雌鈎の咬合構造のもの、例えば、特許文献１（特開２０１５−２１７９８０号公報）に開示された咬合構造などが挙げられる。第１咬合部３１と第２咬合部３２は、互いに咬合することによって一体化され、また、前記咬合を解除することによって互いに離反可能である。
【００１８】
第１咬合部３１は、例えば、図３に示すように、基部３１１と前記基部３１１から第２咬合部３２側に向かって突設された雄側鈎部３１２とからなり、袋本体２の幅方向に延在されている。第２咬合部３２は、基部３２１と前記基部３２１から第１咬合部３１側に向かって突設された雌側鈎部３２２とからなり、袋本体２の幅方向に延在されている。なお、図示例とは反対に、第１咬合部３１が雌側鈎部を有し、第２咬合部３２が雄側鈎部を有していてもよい。
【００１９】
第１咬合部３１には、上方（第１咬合部３１を基準にして主収納部２８とは反対側）及び下方（第１咬合部３１を基準にして主収納部２８側）に向かって一対の延出部４１１，４１２が延設されている。図示例では、第１咬合部３１の基部３１１の上端に、上方且つ袋本体２の幅方向に延設された帯板状の第１上延出部４１１が設けられており、前記第１咬合部３１の基部３１１の下端に、下方且つ袋本体２の幅方向に延設された帯板状の第１下延出部４１２が設けられている。
第２咬合部３２には、上方（第２咬合部３２を基準にして主収納部２８とは反対側）及び下方（第２咬合部３２を基準にして主収納部２８側）に向かって一対の延出部４２１，４２２が延設されている。図示例では、第２咬合部３２の基部３２１の上端に、上方且つ袋本体２の幅方向に延設された帯板状の第２上延出部４２１が設けられており、前記第２咬合部３２の基部３２１の下端に、下方且つ袋本体２の幅方向に延設された帯板状の第２下延出部４２２が設けられている。
【００２０】
第１咬合部３１は、下方に延設された第１下延出部４１２を介して第１壁面シート部２１の内面に取り付けられている。この第１下延出部４１２は、第１咬合部３１を第１壁面シート部２１に取り付けるための取付け部に相当する。第１下延出部４１２のみを介して取り付けられた第１咬合部３１にあっては、その基部３１１及び第１上延出部４１１は、第１壁面シート部２１の内面から離れている。従って、第１咬合部３１及び第１上延出部４１１は第１壁面シート部２１の上端部２１ａの動きに追従することがない。
【００２１】
第２咬合部３２は、その基部３２１が第２壁面シート部２２の内面に直接に取り付けられている。さらに、第２咬合部３２の基部３２１と共に、第２上延出部４２１及び第２下延出部４２２も第２壁面シート部２２の内面に取り付けられている。この第２上延出部４２１及び第２下延出部４２２は、第２咬合部３２を第２壁面シート部２２に取り付けるための取付け部に相当する。従って、第２咬合部３２及び第２上延出部４２１は、第２壁面シート部２２の上端部２２ａの動きに追従する。なお、第２咬合部３２を直接的に第２壁面シート部２２に取り付けるだけでもよく、或いは、第２下延出部４２２のみを介して第２壁面シート部２２の内面に第２咬合部３２を取り付けてもよい（図示せず）。
第１咬合部３１及び第２咬合部３２並びに各延出部４１１，…の第１壁面シート部２１及び第２壁面シート部２２に対する取り付け方法は、特に限定されず、熱溶着、接着剤を用いた接着などが挙げられる。
【００２２】
第１咬合部３１及び第２咬合部３２を有するジッパー３の上下方向における取り付け位置は、特に限定されず、適宜設定できる。
例えば、第１咬合部３１及び第２咬合部３２は、第１壁面シート部２１及び第２壁面シート部２２の上端に略一致する位置に取り付けられていてもよく、或いは、第１壁面シート部２１及び第２壁面シート部２２の上端から下方に寄った位置に取り付けられていてもよい。
図示例では、第１上延出部４１１及び第２上延出部４２１を第１壁面シート部２１及び第２壁面シート部２２の上端から外側に突出させず、第１咬合部３１及び第２咬合部３２が、第１壁面シート部２１及び第２壁面シート部２２の上端から下方に寄った位置に取り付けられている。換言すると、第１壁面シート部２１の上端部２１ａ及び第２壁面シート部２２の上端部２２ａは、第１上延出部４１１及び第２上延出部４２１の上端よりも上方に突出されている。
【００２３】
前記袋本体２の第１壁面シート部２１には、第１把持部５１が設けられ、第２壁面シート部２２には、第２把持部５２が設けられている。
本実施形態では、第１把持部５１は、第１壁面シート部２１の外側シート２１Ｘのうち切断部８１の上側領域によって構成され、第２把持部５２は、第２壁面シート部２２の外側シート２２Ｘのうち切断部８２の上側領域によって構成されている（詳しくは、後述する）。
第１把持部５１及び第２把持部５２は、それらを指先で摘むことができるように第１壁面シート部２１及び第２壁面シート部２２の外面にそれぞれ設けられている。第１把持部５１及び第２把持部５２は、それらの少なくとも端部を指先で摘むことができるような形状及び大きさであれば、その具体的な正面視形状は特に限定されない。図示例では、第１把持部５１及び第２把持部５２は、それぞれ正面視略四角形状（略長方形状）に形成されている。
【００２４】
前記第１把持部５１は、第１壁面シート部２１の外面のうち、前記第１咬合部３１に対応する位置又は第１咬合部３１よりも下方位置に設けられている。前記第２把持部５２は、第２壁面シート部２２の外面のうち、前記第２咬合部３２に対応する位置又は第２咬合部３２よりも下方位置に設けられている。
本実施形態では、第１把持部５１は、第１咬合部３１を基準にして、それよりも下方に離れた位置（下方位置）に設けられている。このような下方位置に第１把持部５１が設けられることにより、第１把持部５１の基端部５１１と第１咬合部３１の間に、第１作用領域６１が確保されている。なお、前記第１作用領域６１は、第１壁面シート部２１の面内の一部の領域である。第１把持部５１は、その基端部５１１を第１壁面シート部２１の外面に連結することによって、第１壁面シート部２１に設けられている。本実施形態では、第１把持部５１は、その基端部５１１を上方に且つ基端部５１１とは反対側の端部５１２を下方にして、第１壁面シート部２１の外面に設けられている。
【００２５】
第２把持部５２は、第２咬合部３２を基準にして、それよりも下方に離れた位置（下方位置）に設けられている。このような下方位置に第２把持部５２が設けられることにより、第２把持部５２の基端部５２１と第２咬合部３２の間に、第２作用領域６２が確保されている。なお、前記第２作用領域６２は、第２壁面シート部２２の面内の一部の領域である。第２把持部５２は、その基端部５２１を第２壁面シート部２２の外面に連結することによって、第２壁面シート部２２に設けられている。本実施形態では、第２把持部５２は、その基端部５２１を上方に且つ基端部５２１とは反対側の端部５２２を下方にして、第２壁面シート部２２の外面に設けられている。
以下、基端部とは反対側の端部を「反対端部」という。
【００２６】
第１把持部５１の基端部５１１から第１咬合部３１までの長さＨ１及び第２把持部５２の基端部５２１から第２咬合部３２までの長さＨ２は、特に限定されないが、余りに小さいと、第１把持部５１及び第２把持部５２が第１咬合部３１及び第２咬合部３２に対応する位置に設けられる場合と実質的に変わらなくなり、余りに大きいと、第１把持部５１及び第２把持部５２を扱い難くなる。かかる観点から、第１把持部５１の基端部５１１から第１咬合部３１までの長さＨ１（この長さＨ１は、第１作用領域６１の上下方向長さに相当する）、及び、第２把持部５２の基端部５２１から第２咬合部３２までの長さＨ２（この長さＨ２は、第２作用領域６２の上下方向長さに相当する第２把持部５２の基端部５２１と第２咬合部３２の上下方向における間隔）は、それぞれ独立して、例えば、５ｍｍ〜４０ｍｍであり、好ましくは、１０ｍｍ〜３０ｍｍである。
【００２７】
第１把持部５１と第２把持部５２は、袋本体２の上下方向において同じ高さ位置に設けられていてもよく、何れか一方が上方に位置ずれしていてもよい。図示例では、第１把持部５１と第２把持部５２は、袋本体２の上下方向において同じ高さ位置（袋本体２を挟んで対向する位置）に設けられている。
【００２８】
前記第１把持部５１及び第２把持部５２は、第１壁面シート部２１の外側シート２１Ｘの一部の領域及び第２壁面シート部２２の外側シート２２Ｘの一部の領域から構成されているので、柔軟なシート材からなる。必要に応じて、第１把持部５１及び第２把持部５２には、所望のデザインが印刷などによって表示される。
【００２９】
図示例では、シート材からなる第１把持部５１は、その基端部５１１が第１壁面シート部２１に連結され、第１把持部５１のうち基端部５１１以外は、第１壁面シート部２１の外面に連結されておらず、第１壁面シート部２１から離反されている。
また、シート材からなる第２把持部５２は、その基端部５２１が第２壁面シート部２２に連結され、第２把持部５２のうち基端部５２１以外は、第２壁面シート部２２の外面に連結されておらず、第２壁面シート部２２から離反されている。
【００３０】
第１把持部５１の上下方向の長さＬ１及び第２把持部５２の上下方向の長さＬ２は、特に限定されないが、余りに小さいと、第１把持部５１及び第２把持部５２を摘み難くなり、余りに大きいと、第１把持部５１及び第２把持部５２を取り扱い難くなる。かかる観点から、第１把持部５１の上下方向の長さＬ１及び第２把持部５２の上下方向の長さＬ２は、それぞれ独立して、例えば、５ｍｍ〜１００ｍｍであり、好ましくは、１０ｍｍ〜５０ｍｍである。
【００３１】
袋本体２を構成する第１壁面シート部２１及び第２壁面シート部２２の正面視形状（外形）は、特に限定されず、例えば、正面視略四角形状、略六角形状などの略多角形状；略円形状；略楕円形状；略Ｔ字状；これらの形状が組み合わされた異形状；などが挙げられる。本明細書において「略」は、本発明の属する技術分野において許容される範囲を意味する。略四角などの略多角、略Ｔ字の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円及び略楕円の「略」は、例えば、周の一部が僅かに膨らむ又は窪んでいる形状、周の一部が若干直線又は斜線とされた形状などが含まれる。
図示例では、図１及び図２のように、第１壁面シート部２１及び第２壁面シート部２２は、いずれも正面視略長方形状（又は略正方形状）であり、同形同大である。
【００３２】
第１壁面シート部２１は、内側シート２１Ｙと外側シート２１Ｘを有する２重シート構造部を有し、前記内側シート２１Ｙと外側シート２１Ｘの間に、副収納部７１が形成されている。
また、本実施形態では、第２壁面シート部２２も、内側シート２２Ｙと外側シート２２Ｘを有する２重シート構造部を有し、前記内側シート２２Ｙと外側シート２２Ｘの間に、袋本体２の外側からアクセス可能な副収納部７２が形成されている。以下、第１壁面シート部及び第２壁面シート部のそれぞれの構成部材（内側シートなど）及びそれに付随する構造（副収納部など）に関する用語上、両者を区別したい場合には、第１壁面シート部の構成部材及びそれに付随する構造に関する用語の頭に「第１」を付し、第２壁面シート部の構成部材などの用語の頭に「第２」を付す。
【００３３】
具体的には、第１壁面シート部２１は、正面視略長方形状（又は略正方形状）に形成された第１外側シート２１Ｘと、その第１外側シート２１Ｘの内側に対向配置され且つ正面視略長方形状（又は略正方形状）に形成された第１内側シート２１Ｙと、を有する。第１外側シート２１Ｘと第１内側シート２１Ｙは、正面視で同形同大でもよいが、図示例では、第１内側シート２１Ｙは、第１外側シート２１Ｘよりも上下方向長さが小さく、第１外側シート２１Ｘの外形が、第１壁面シート部２１の外形を成している。
【００３４】
第１外側シート２１Ｘ及び第１内側シート２１Ｙを形成するシート材は、それぞれ独立して、上記袋本体２を形成するシート材から適宜選択して使用できる。例えば、第１外側シート２１Ｘを形成するシート材は、第１内側シート２１Ｙよりも厚みの大きいシート材が好ましい。換言すると、小面積の第１内側シート２１Ｙは、第１壁面シート部２１の外形を成す第１外側シート２１Ｘよりも機械的強度が小さいシート材（例えば、厚みが小さいものなど）を用いることができる。例えば、第１外側シート２１が厚み５０μｍ〜５００μｍである場合、第１内側シート２１Ｙは厚み１０μｍ〜５００μｍ（好ましくは２０μｍ〜２００μｍ）のシート材を用いることができる。また、第１内側シート２１Ｙは、両面にシーラント層を有するシート材を用いることもできる。
【００３５】
第１外側シート２１Ｘと第１内側シート２１Ｙのシート間に第１副収納部７１を形成するため、第１外側シート２１Ｘと第１内側シート２１Ｙの中央領域を除いて、第１外側シート２１Ｘと第１内側シート２１Ｙは互いに接着されている。例えば、第１内側シート２１Ｙの周端部が第１外側シート２１Ｘに接着されている。第１外側シート２１Ｘと第１内側シート２１Ｙが正面視で閉鎖環状の接着部分にて接着されていることにより、その接着部分で囲われた範囲内であって第１外側シート２１Ｘと第１内側シート２１Ｙの間に、第１副収納部７１が形成されている。
【００３６】
また、第１外側シート２１Ｘには、前記第１副収納部７１に通じる第１出入れ口が形成されている。第１出入れ口は、第１外側シート２１Ｘの面内に形成された第１切断部８１によって形成される。すなわち、第１外側シート２１Ｘの面内に第１切断部８１を形成することにより、その第１切断部８１にて部分的に第１外側シート２１Ｘの面内に開口が生じるが、この開口が第１出入れ口となる。
加えて、第１外側シート２１Ｘに前記第１切断部８１を形成することによって、第１把持部５１が形成されている。
【００３７】
第１切断部８１は、少なくとも指先や第１副収納部７１に収納する物品を挿入可能な大きさであって、第１外側シート２１Ｘを部分的に切断したものであれば特に限定されず、代表的には、線状の切込み線が挙げられる。線状の切込み線は、正面視で有端線状でもよく、或いは、無端線状でもよい。線状の切込み線は、少なくとも指先や第１副収納部７１に収納する物品を挿入可能な長さで、幅方向に細長く延びている部分を有することが好ましい。なお、無端線状の切込み線を形成した場合、その無端線状の切込み線で囲われた範囲内は第１外側シート２１Ｘから分離されて除去されるので、前記無端線状の切込み線を第１外側シート２１Ｘに形成した場合とは、第１外側シート２１Ｘに孔部を形成したことに等しい。
【００３８】
図示例では、第１外側シート２１Ｘの面内に、第１切断部８１として、正面視で有端線状の切込み線が形成されている。有端線状の切込み線は、幅方向に延びる直線状の部分のみからなるものでもよく、膨らんだ部分を有する非直線状であってもよい。比較的大きな第１出入れ口を形成でき且つ摘み易い第１把持部５１を形成できることから、前記切込み線は、正面視で膨らんだ部分を有する有端非直線状であることが好ましく、さらに、正面視で下側に膨らんだ部分を有する有端非直線状であることがより好ましい。
図示例では、第１切断部８１は、幅方向に延びる中間部８１１と、中間部８１１の両端からそれぞれ上側に延びる側部８１２，８１２と、その側部８１２，８１２から下側に延びる返し部８１３，８１３と、を有する。少なくとも中間部８１１及び側部８１２を有する切込み線は、正面視で下側に膨らんだ部分を有する有端非直線状である。なお、前記返し部８１３は、第１外側シート２１Ｘが不必要に破断することを防止するためのものであり、必要に応じて形成される。
ただし、下側に膨らんだ部分を有する有端非直線状の切込み線は、図示例に限られず、例えば、中間部と両側部が連続した曲線を成した全体として正面視略弧状に形成されていてもよく、その他、様々な形状に形成してもよい。
【００３９】
前記第１切断部８１を基準にして第１外側シート２１Ｘを区分けすると、第１外側シート２１Ｘは、第１切断部８１よりも上側の領域（第１切断部８１の上側領域）と、第１切断部８１よりも下側の領域（第１切断部８１の下側領域）と、に区画される。第１把持部５１は、第１外側シート２１Ｘのうち前記第１切断部８１の上側領域によって構成され、第１副収納部７１は、第１外側シート２１Ｘのうち前記第１切断部８１の下側領域と第１内側シート２１Ｙの間に形成されている。
上述のように、第１切断部８１が、幅方向に延びる中間部８１１と、中間部８１１の両端からそれぞれ上側に延びる側部８１２，８１２と、を有する切込み線である場合、その切込み線で囲われた領域（第１切断部８１の上側領域）が、第１把持部５１となる。かかる第１把持部５１の基端部５１１は、第１外側シート２１Ｘと第１内側シート２１Ｙの上端部の接着部分である。第１把持部５１は、その基端部５１１を第１壁面シート部２１に連結した状態で、図６（ａ）に示すように、外側へ引き出すことができる。
【００４０】
第１副収納部７１は、第１切断部８１の下側領域と第１内側シート２１Ｙの間に形成された空間である。第１壁面シート部２１には、前記第１副収納部７１に通じる第１出入れ口が形成されている。
第１出入れ口（第１切断部８１）から指を入れ、第１切断部８１の下側領域を引き出すと、図６（ｂ）に示すように、第１出入れ口を大きく開口させることができ、第１副収納部７１に物品を出し入れできる。
【００４１】
第２壁面シート部２２の構成部材及びそれに付随する構造は、上記［００３３］乃至［００４０］で説明した第１壁面シート部２１の構成部材及びそれに付随する構造と同様である。上記［００３３］乃至［００４０］の「第１壁面シート部２１」、「第１把持部５１」、「第１内側シート２１Ｙ」、「第１外側シート２１Ｘ」、「第１切断部８１」、「第１出入れ口」及び「第１副収納部７１」を、それぞれ、「第２壁面シート部２２」、「第２把持部５２」、「第２内側シート２２Ｙ」、「第２外側シート２２Ｘ」、「第２切断部８２」、「第２出入れ口」及び「第２副収納部７２」に読み替えることにより、第２壁面シート部２２の構成部材及びそれに付随する構造を説明したものとする。
【００４２】
柔軟なシート材から形成されたジッパー付き袋１の製袋方法は、従来公知な包装袋やパウチ袋などの製袋方法を適用できる。
本実施形態では、袋本体２は、第１外側シート２１Ｘ及び第１内側シート２１Ｙを有する第１壁面シート部２１と、第２外側シート２２Ｘ及び第２内側シート２２Ｙを有する第２壁面シート部２２と、から構成されている。
【００４３】
例えば、第１切断部８１を形成した第１外側シート２１Ｘの内側の所定位置に、第１内側シート２１Ｙ及びジッパー３の第１咬合部３１を配置し、第１内側シート２１Ｙの周端部（又は第１内側シート２１Ｙの上端部及び下端部）及び第１咬合部３１の第１下延出部４１２を第１外側シート２１Ｘに接着することにより、第１咬合部３１を有する第１壁面シート部２１を形成する。同様に、第２切断部８２を形成した第２外側シート２２Ｘの内側の所定位置に、第２内側シート２２Ｙ及びジッパー３の第２咬合部３２を配置し、第２内側シート２２Ｙの周端部（又は第２内側シート２２Ｙの上端部及び下端部）及び第２咬合部３２を第２外側シート２２Ｘに接着することにより、第２咬合部３２を有する第２壁面シート部２２を形成する。この第１壁面シート部２１と第２壁面シート部２２を、第１咬合部３１及び第２咬合部３２が咬合するようにして、上端部を除く周端部（下端部及び両側端部）を接着することにより、上方に開口部２９を有する袋本体２及びジッパー３を有するジッパー付き袋１が形成されている。
第１壁面シート部２１と第２壁面シート部２２などの接着方法は、特に限定されず、代表的には、熱溶着、或いは、接着剤を用いた接着が挙げられる。簡易にシート材を接着できることから、熱溶着が好ましい。
【００４４】
図１などの各正面図において、シートが接着されている部分に、描写上、無数のドットを付加している。また、図３などの各端面図において、第１壁面シート部２１などを構成するシート同士が接している箇所や、シート材とジッパーが接している箇所は、それらが接着されている部分である。
図示例では、第１外側シート２１Ｘ、第１内側シート２１Ｙ、第２外側シート２２Ｘ及び第２内側シート２２Ｙは、それぞれ独立した１枚のシート材から構成されているが、これらから選ばれる少なくとも２つのシートを１枚のシート材から構成してもよい。例えば、第１外側シート２１Ｘ及び第２外側シート２２Ｘを１枚のシート材で構成し、その１枚のシート材を下方において折り返して第１外側シート２１Ｘ及び第２外側シート２２Ｘとしてもよい（図示せず）。
【００４５】
本発明のジッパー付き袋１は、主収納部２８内に所望の物品を収納して使用される。また、副収納部７１が設けられている本発明のジッパー付き袋１は、その副収納部７１にも物品を収納できる。なお、全ての図において、物品を図示しない。
主収納部２８に収納される物品は、特に限定されず、医薬品、食品、機械部品などの任意である。
副収納部７１に収納される物品は、特に限定されず、例えば、薬品能書、取扱説明書、商品説明書、懸賞応募説明書などの各種説明書、保証書などの各種証明書類、小冊子、各種カード類、コイン状物品、付録、懸賞応募ハガキなどの扁平状の物品などの任意である。
【００４６】
例えば、ジッパー付き袋１は、流通過程の包装袋として使用できる（第１の使用法）。この場合、ジッパー付き袋１の少なくとも主収納部２８内に物品が入れられた状態（物品包装体の状態）で流通過程に供され、その物品包装体を販売対象として使用者に販売される。
また、ジッパー付き袋１は、保管袋として使用できる（第２の使用法）。この場合、物品を入れず、ジッパー付き袋１を販売対象として使用者に販売される。
【００４７】
第１の使用法においては、通常、物品包装体は、販売店などに陳列して販売される。かかる物品包装体に対して、例えば、悪意者が、図７に示すように、袋本体２の第１壁面シート部２１の上端部２１ａ及び第２壁面シート部２２の上端部２２ａを摘んでこれらを引張り、ジッパー３を開封しようとしても、その引張り力が第１咬合部３１の基部３１１に加わらず、第１下延出部４１２に加わるので、第１咬合部３１と第２咬合部３２の咬合を解除させることは非常に困難である。従って、改竄による開封を防止できる。また、悪意のない者、例えば、幼児などが前記のように第１壁面シート部２１の上端部２１ａ及び第２壁面シート部２２の上端部２２ａを摘んでこれらを引張ったとしても、同様に開封できない。このように本発明のジッパー付き袋１は、予定外の開封を防止できる。
なお、図７を含む開封時の状況を示す端面図にあっては、袋本体２及びジッパー３にハッチングを付加せず、太い実線で表している。
【００４８】
一方、物品包装体の購入者などがジッパー付き袋１を正規開封する際には、次のような開封方法によってジッパー３を容易に開封できる。
図８に示すように、第１壁面シート部２１に設けられた第１把持部５１を片手で摘み、且つ、第２壁面シート部２２に設けられた第２把持部５２をもう片方の手で摘むようにする（以下、把持工程という）。
そして、図９及び図１０に示すように、前記摘んだ第１把持部５１及び第２把持部５２をそれぞれ引張って第１壁面シート部２１と第２壁面シート部２２を離反させつつ、前記第１壁面シート部２１及び第２壁面シート部２２をその外側から主収納部２８側に押し込む（以下、押圧工程という）。
このように押し込むことにより、第１咬合部３１と第２咬合部３２の咬合が主収納部２８側から解除され、ジッパー３を開封できる。
【００４９】
詳しくは、図８に示すように、第１切断部８１から片手の指（例えば、右手の人差し指と中指）を入れ、その手の親指を第１把持部５１の外面に添え、前記人差指などと親指とで第１把持部５１を摘むようにする。同様に、第２切断部８２からもう片方の手の指（例えば、左手の人差し指と中指）を入れ、その手の親指を第２把持部５２の外面に添え、前記人差指などと親指とで第２把持部５２を摘むようにする。
【００５０】
そして、図９及び図１０に示すように、片手（例えば右手）で摘んだ第１把持部５１と、もう片方の手（例えば左手）で摘んだ第２把持部５２を、それぞれが離反するように、第１壁面シート部２１及び第２壁面シート部２２の外面に対して略直交する方向に引張りつつ、両手の親指の間に第１壁面シート部２１及び第２壁面シート部２２を挟み、右手の親指を第１壁面シート部２１の外面から下方（主収納部２８側）に且つ左手の親指を第２壁面シート部２２の外面から下方（主収納部２８側）に略同時に押し込んでいく。第１作用領域６１及び第２作用領域６２が確保されている本実施形態にあっては、前記右手の親指の先端部が、第１作用領域６１及び第１咬合部対応位置に当たり、前記左手の親指の先端部が、第２作用領域６２及び第２咬合部対応位置に当たり、第１作用領域６１（第１咬合部３１の近傍領域）と第２作用領域６２（第２咬合部３２の近傍領域）が主収納部２８側へ押圧される。前記押し込みにより、咬合された第１咬合部３１と第２咬合部３２を互いに離反させる引張力が、主収納部２８側からジッパー３に加わり、第１咬合部３１と第２咬合部３２の咬合が解除される。特に、第１把持部５１が第１咬合部３１よりも下方位置に取り付けられ且つ第２把持部５２が第２咬合部３２よりも下方位置に取り付けられている場合には（つまり、第１作用領域６１及び第２作用領域６２が確保されている場合には）、第１把持部５１と第２把持部５２とを反対の外側へ引き出した際に、第１咬合部３１の下方側及び第２咬合部３２の下方側から第１咬合部３１と第２咬合部３２を離反させる引張り力が加わり易くなる。このため、第１咬合部３１と第２咬合部３２の咬合が主収納部２８側から解除され易くなり、ジッパー３を容易に開封できる。
なお、前記開封方法による開封原理は、典型的なケースを説明したものであり、例えば、手先の器用な人の場合には、上記のような両手の使い方をせずに、第１把持部５１及び第２把持部５２を利用してジッパー３を開封させることもできる場合があることに留意されたい。
【００５１】
このように本発明の開封方法によれば、ジッパー付き袋１を容易に開封できる。
また、本発明のジッパー付き袋１によれば、開封後にジッパー３を再封することもでき、物品の包装袋として繰り返し使用できる。
さらに、本発明のジッパー付き袋１は、副収納部７１が設けられているので、比較的密封性が必要とされない物品を副収納部７１に収納できる。副収納部７１に通じる出入れ口（切断部８１）は、ジッパーにて閉塞されておらず、開放されているので、副収納部７１に収納された物品に、袋本体２の外側から簡易にアクセスしてそれを出し入れできる。
本発明のジッパー付き袋１によれば、密封性が要求される比較的重要な物品を主収納部２８に収納し、比較的重要性の低い物品を副収納部７１に収納するという使い分けを行うことができる。
【００５２】
第２の使用法においては、使用者が主収納部２８内に物品を出し入れして使用する物品の保管袋として使用できる。
例えば、家庭などで使用する際に、乾電池などの日用品を本発明のジッパー付き袋１の開口部２９から主収納部２８内に入れ、ジッパー３を閉塞しておく。このジッパー付き袋１を幼児や高齢者などが不用意に開封する行為を行っても、上述の図７に示すように、ジッパー３を開封できない。一方、正規開封する際には、上述の図８乃至図１０に示すような手順により、容易に開封できる。かかるジッパー付き袋１を用いることにより、幼児の誤飲などを防止できる。また、本発明のジッパー付き袋１は、病院などで薬の保管袋として利用することもできる。第２の使用法にあっても、副収納部７１に物品を入れて使用できる。
なお、前記第１の使用法の物品包装体から物品を取り出した後に、残ったジッパー付き袋１を、前記第２の使用法で使用することもできる。
【００５３】
以下、本発明の第２実施形態を説明するが、その説明に於いては、主として上記実施形態と異なる構成及び効果について説明し、同様の構成などについては、用語又は符号をそのまま援用し、その構成の説明を省略する場合がある（第３実施形態以降も同様である）。
【００５４】
［第２実施形態］
第１実施形態では、第１及び第２外側シートに第１及び第２切断部を形成することにより、第１及び第２把持部が形成されたジッパー付き袋を例示したが、第２実施形態のジッパー付き袋は、第１及び第２把持部が、第１壁面シート部及び第２壁面シート部から延出するように設けられている。また、本実施形態では、副収納部は、第１壁面シート部のみに設けられている。
【００５５】
図１１乃至図１３を参照して、第２実施形態のジッパー付き袋１は、第１壁面シート部２１及び第２壁面シート部２２を有し且つ内部に主収納部２８が形成された袋本体２と、前記袋本体２の開口部２９を閉塞するために袋本体２に取り付けられたジッパー３と、を有し、第１壁面シート部２１に第１把持部５１が設けられ且つ第２壁面シート部２２に第２把持部５２が設けられている。本実施形態では、第１壁面シート部２１のみに副収納部７１（第１副収納部７１）が形成されている。
【００５６】
第１把持部５１は、第１壁面シート部２１の外側に設けられており、その基端部５１１及び両側端部が、第１壁面シート部２１の外面に連結され、第１把持部５１のうち基端部５１１及び両側端部以外は、第１壁面シート部２１の外面に連結されておらず、第１壁面シート部２１から離反されている。従って、第１把持部５１と第１壁面シート部２１は協働して空間５１９を形成しており、第１把持部５１の反対端部５１２と第１壁面シート部２１の間には、前記空間５１９に連続する第１差込み部５１８が形成されている。この第１差込み部５１８及び前記空間５１９は、少なくとも１本の指を差し入れ可能な大きさである。
【００５７】
第１壁面シート部２１は、第１外側シート２１Ｘ及び第１内側シート２１Ｙから構成される２重構造部を有し、その第１外側シート２１Ｘ及び第１内側シート２１Ｙの間に、第１副収納部７１が形成されている。また、第１外側シート２１Ｘの面内には、第１出入れ口を形成するために第１切断部８１が形成され、その第１出入れ口（第１切断部８１）は第１副収納部７１に通じている。なお、図示例の第１切断部８１は、正面視で幅方向に延びる有端直線状の切込み線であるが、第１実施形態のように有端非直線状の切込み線でもよく、或いは、無端線状の切込み線でもよい。
第１把持部５１は、２重シート構造部（第１外側シート２１Ｘ及び第１内側シート２１Ｙ）とは独立している。  
【００５８】
また、第２把持部５２は、第２壁面シート部２２の外側に設けられており、その基端部５２１及び両側端部が第２壁面シート部２２の外面に連結され、第２把持部５２のうち基端部５２１及び両側端部以外は、第２壁面シート部２２の外面に連結されておらず、第２壁面シート部２２から離反されている。従って、第２把持部５２と第２壁面シート部２２は協働して空間５２９を形成しており、第２把持部５２の反対端部５２２と第２壁面シート部２２の間には、前記空間５２９に連続する第２差込み部５２８が形成されている。この第２差込み部５２８及び前記空間５２９は、少なくとも１本の指を差し入れ可能な大きさである。
【００５９】
第２実施形態のような第１把持部５１及び第２把持部５２は、例えば、第１壁面シート部２１（第１外側シート２１Ｘ）及び第２壁面シート部２２をそれぞれ折り曲げ加工して形成できる。
図示例では、第１把持部５１、第２把持部５２、第１壁面シート部２１（第１外側シート２１Ｘ）及び第２壁面シート部２２は、１枚のシート材から構成されている。例えば、第２壁面シート部２２の２重構造部となる領域に、第１内側シート２２Ｙを配置した１枚のシート材を下方において折り返して２重に重ね、さらに、２重のシート材の一方及び他方をそれぞれ襞を作るように外側に引き出しつつ折り畳んだ後、その両側端部を互いに接着することにより、第１把持部５１及び第２把持部５２を有し且つ上方に開口部２９を有する袋本体２が形成されている。
熱溶着によりシート材を接着する場合、最内面層であるシーラント層同士が対面しないと熱溶着できない。このため、図１３に示すように、第１壁面シート部２１と第２壁面シート部２２の両側端部の一部分に切欠き部２１ｆ，２１ｇが形成され、その切欠き部２１ｆ，２１ｇにおいて第１把持部５１を構成するシート材のシーラント層と第２把持部５２を構成するシート材のシーラント層が対面して熱溶着される。
【００６０】
なお、特に図示しないが、前記第１把持部５１及び第２把持部５２が、第１壁面シート部２１及び第２壁面シート部２２とは別々のシート材から構成されていてもよい。この場合、別々のシート材からなる第１把持部５１を第１壁面シート部２１に、第２把持部５２を第２壁面シート部２２にそれぞれ重ね合わせ、第１把持部５１及び第２把持部５２の基端部５１１，５２１及びその両側端部を第１壁面シート部２１及び第２壁面シート部２２に接着剤などでそれぞれ接着することにより、第１把持部５１及び第２把持部５２を有する袋本体２が形成される。
【００６１】
第２実施形態のジッパー付き袋１も、第１実施形態と同様に、ジッパー３を容易に開封できる。
簡単に説明すると、図１４に示すように、第１差込み部５１８から片手の指を入れ、第２差込み部５２８からもう片方の手の指を入れ、片手（例えば右手）で第１把持部５１を、もう片方の手（例えば左手）で第２把持部５２を摘む。そして、両手の親指の間に第１壁面シート部２１及び第２壁面シート部２２を挟み、第１壁面シート部２１及び第２壁面シート部２２の外面から下方に押し込むことにより、図１５に示すように、第１咬合部３１と第２咬合部３２の咬合が解除される。
また、第２実施形態のジッパー付き袋１も、第１実施形態と同様に、副収納部７１が設けられているので、適宜物品を副収納部７１に収納し、容易にアクセスできる。
【００６２】
［第３実施形態］
上記各実施形態では、第１内側シート２１Ｙは、第１外側シート２１Ｘよりも上下方向長さが小さく、第１外側シート２１Ｘの外形が、第１壁面シート部２１の外形を成しているが、これに限定されず、図１６及び図１７に示すように、第１外側シート２１Ｘが、第１内側シート２１Ｙよりも上下方向長さが小さく、第２内側シート２１Ｙの外形が、第１壁面シート部２１の外形を成していてもよい。
第２外側シート２２Ｘも同様に、第２内側シート２２Ｙよりも上下方向長さが小さくてもよい。
その他、第１外側シート２１Ｘ及び第１内側シート２１Ｙを有する第１壁面シート部２１、第２壁面シート部２２、第１把持部５１及び第２把持部５２などの各構成要素は、概念的なものであって、シート材を用いてそれらを具現化する手法は様々であり、図示例に限定されるわけではない。
【符号の説明】
【００６３】
１  ジッパー付き袋
２  袋本体
２１  第１壁面シート部
２１Ｘ  第１壁面シート部の外側シート
２１Ｙ  第１壁面シート部の内側シート
２２  第２壁面シート部
２２Ｘ  第２壁面シート部の外側シート
２２Ｙ  第２壁面シート部の内側シート
２８  袋本体の主収納部
２９  袋本体の開口部
３  ジッパー
３１  第１咬合部
３２  第２咬合部
４１２  第１下延出部（取付け部）
５１  第１把持部
５２  第２把持部
７１，７２  副収納部
８１，８２  切断部
【図１】
2020001717.tif 000003
【図２】
2020001717.tif 000004
【図３】
2020001717.tif 000005
【図４】
2020001717.tif 000006
【図５】
2020001717.tif 000007
【図６】
2020001717.tif 000008
【図７】
2020001717.tif 000009
【図８】
2020001717.tif 000010
【図９】
2020001717.tif 000011
【図１０】
2020001717.tif 000012
【図１１】
2020001717.tif 000013
【図１２】
2020001717.tif 000014
【図１３】
2020001717.tif 000015
【図１４】
2020001717.tif 000016
【図１５】
2020001717.tif 000017
【図１６】
2020001717.tif 000018
【図１７】
2020001717.tif 000019